(57)【特許請求の範囲】
【請求項１】
人体への貼着を行うために所定の平面形状を有して一方の面に粘着層を有したシール材と、
焼成による結晶構造を有し、略円板状の基部とこの基部に連設される略円錐形状の人体当接部よりなり、人体当接部と反対側の基部端面が前記シール材の粘着層の中央部に接着されている炭素成型品と、
少なくとも人体当接部に設けられた皮膜層と、
を備えてなり、
前記炭素成型品は、炭素粉にバインダを加えて成形した塊を酸素が欠乏した状態で１２００℃以上に加熱してバインダを揮発させて焼成し、前記炭素成型品の形状に加工しており、９９％以上が炭素材となったものであり、かさ密度が１．７７Ｍｇ／ｍ３以上であって結晶化した結晶構造を成すことで全体が一体的に形成されていることを特徴とする貼着型健康増進用具。
【請求項２】
請求項１に記載された貼着型健康増進用具において、
前記皮膜層は、樹脂又は炭素の皮膜層であることを特徴とする貼着型健康増進用具。
【発明の詳細な説明】
【技術分野】
【０００１】
本発明は、血流の促進のために人体の所定の部位に貼着して使用される貼着型健康増進用具に関する。
【背景技術】
【０００２】
この種の貼着型健康増進用具として、マグネットやゲルマニウムなどの粒状体を、粘着剤を塗布したシール材に接着したものが広く使用されている。
【０００３】
本願発明者は、炭素粉を含む略平板状の炭素成型品の底面の一部に貼着部を備えた貼着型健康増進用具を、特許文献１において提案している。この貼着型健康増進用具は、炭素成型品に蓄積された電荷からの電界と遠赤外線放射により、血流を促進し、もって、健康増進効果を図っている。
【先行技術文献】
【特許文献】
【０００４】
【特許文献１】特開２００６−３４６４１３号公報
【発明の概要】
【発明が解決しようとする課題】
【０００５】
前記の貼着型健康増進用具に用いた炭素成型品は、人体を形成する有機物の構成物質と同じであるため人体への安全性が高いこと、軽量であること、などの点から、人体へ貼着する貼着型健康増進用具には好適である。その反面、このような炭素成型品は、一般的な製造方法によって製造した場合、摩耗や破損が起こり易くなるなど、いわゆる物理的強度が低いものとなる可能性がある。
【０００６】
本発明は、係る事由に鑑みてなされたものであり、その目的は、物理的強度が高く、より健康増進効果を高めることができる炭素成型品を用いた貼着型健康増進用具を提供することにある。
【課題を解決するための手段】
【０００７】
上記目的を達成するために、請求項１に記載の貼着型健康増進用具は、人体への貼着を行うために所定の平面形状を有して一方の面に粘着層を有したシール材と、焼成による結晶構造を有し、略円板状の基部とこの基部に連設される略円錐形状の人体当接部よりなり、人体当接部と反対側の基部端面が前記シール材の粘着層の中央部に接着されている炭素成型品と、少なくとも人体当接部に設けられた皮膜層と、を備えてなり、前記炭素成型品は、炭素粉にバインダを加えて成形した塊を酸素が欠乏した状態で１２００℃以上に加熱してバインダを揮発させて焼成し、前記炭素成型品の形状に加工しており、９９％以上が炭素材となったものであり、かさ密度が１．７７Ｍｇ／ｍ３以上であって結晶化した結晶構造を成すことで全体が一体的に形成されていることを特徴とする。
【０００８】
請求項２に記載の貼着型健康増進用具は、請求項１に記載された貼着型健康増進用具において、前記皮膜層は、樹脂又は炭素の皮膜層であることを特徴とする。
【発明の効果】
【０００９】
本発明の貼着型健康増進用具によれば、炭素成型品を焼成による結晶構造を有したものにしたことにより物理的強度が高くなって人体当接部の円錐形状の先端が摩耗又は破損し難くなり、遠赤外線の放射とともに人体当接部による局所的な刺激により、血流を促進し、もって、より健康増進効果を高めることができる。
【図面の簡単な説明】
【００１０】
【図１】本発明の実施形態に係る貼着型健康増進用具を示す上面図及び側面図である。
【図２】同上の貼着型健康増進用具に用いる炭素成型品を示す側面視断面図である。
【図３】同上の貼着型健康増進用具の変形例を示す上面図及び側面図である。
【図４】同上の貼着型健康増進用具の保管時等の態様を示す上面図及び下面図である。
【図５】同上の貼着型健康増進用具の実験結果を示す温度分布図である。
【発明を実施するための形態】
【００１１】
以下、本発明を実施するための好ましい形態を図面を参照しながら説明する。図１は本発明の実施形態に係る貼着型健康増進用具１を示すもので、（ａ）は上面図、（ｂ）側面図である。図２は、貼着型健康増進用具１に用いる炭素成型品１０を示す拡大側面視断面図である。
【００１２】
この貼着型健康増進用具１に用いる炭素成型品１０は、略円板状の基部１０ａとこの基部１０ａに連設される略円錐形状の人体当接部１０ｂとを基本構成部分としている。なお、図２中の基部１０ａと人体当接部１０ｂとを区分する破線は、説明上仮想的に示しているもので、これらは一体的に形成しており、実体的に明りょうに区分されるわけではない。この炭素成型品１０の表面には後記する皮膜層１１を設けるが、この皮膜層１１は少なくとも人体当接部１０ｂの表面に設ければよい。人体当接部１０ｂは、図２に示すように、基部１０ａの最外周縁から傾斜が始まる円錐形状としてもよいし、基部１０ａの最外周縁より内方から傾斜が始まる円錐形状としてもよい。また、図３の上面図と側面図に示すように、基部１０ａを略角板状とし、人体当接部１０ｂを略角錐（例えば、六角錐）形状としてもよい。基部１０ａは、人体当接部１０ｂと反対側の端面が後記するシール材１２の粘着層の中央部に接着される。従って、基部１０ａの端面は、シール材１２に接着可能なように平らか又は僅かに凸状としてある。この炭素成型品１０は、使用者の嗜好に合うように任意に決められるが、例えば、直径Ａが５〜１５ｍｍ程度、全体厚さＢが２〜４ｍｍ程度、基部１０ａの厚さＣが１〜２ｍｍ程度が望ましい。
【００１３】
この炭素成型品１０は、焼成により高密度で整った結晶構造となっており、全体が一体的に形成されるもので、以下のように製造することができる。すなわち、黒鉛、又は竹炭などの炭化物の炭素粉にフェノール系接着剤、ピッチ又はタールなどのバインダを５重量％程度加えて固め、所定の塊（例えば方形もの）に加圧成形する。そして、酸素が欠乏した状態で加熱し、２０００〜３０００℃程度で焼成する。この状態で、原料の炭素粉同士は結合し結晶化（黒鉛化、定形炭素化）する。なお、フェノール成分、ピッチ又はタールは昇温途中の約１２００℃程度で揮発している。その後、加熱を止め、温度を下げ、炭素成型品１０の形状に加工する。この炭素成型品１０は、バインダが揮発しているので、ほぼ１００％（９９％以上）が炭素材となっている。また、かさ密度（かさ比重）は、１．７７Ｍｇ／ｍ３以上である。
【００１４】
炭素成型品１０に設けられる皮膜層１１は、樹脂又は炭素を用いることができる。皮膜層１１に樹脂を用いる場合、ウレタン等が好ましい。樹脂を用いた皮膜層１１は、低コストで形成することができる。樹脂を用いた皮膜層１１の炭素成型品１０の外観は、若干の光沢が有る。
【００１５】
皮膜層１１に炭素を用いる場合、炭素成型品１０にプラズマによる炭素イオンを注入してＤＬＣ（ダイヤモンドライクカーボン）薄膜を形成する。炭素を用いた皮膜層１１は、耐薬品性が高く、また、炭素成型品１０との密着性が良く、しかも、極めて硬質である。炭素を用いた皮膜層１１の炭素成型品１０の外観は、炭素成型品１０自体の表面の細微な凹凸の程度により鏡面仕上げにしたり無光沢仕上げにしたりすることが可能であり、また、フッ素を含むＤＬＣ薄膜の場合は、その厚みに依存して、赤み、黄み、青みがかった玉虫色にすることが可能である。
【００１６】
貼着型健康増進用具１に用いるシール材１２は、人体への貼着を行うために、図１に示すように、所定の平面形状、すなわち炭素成型品１０の平面視形状より十分大きい円形状とし、一方の面に粘着層を有している。この粘着層を有した一方の面の中央部に、前記した炭素成型品１０の基部１０ａの端面が接着されるのである。シール材１２の直径は、炭素成型品１０の基部１０ａの直径を考慮し、例えば、１５〜４５ｍｍ程度とする。
【００１７】
図４は貼着型健康増進用具１が保管、陳列、又は販売等されるときの態様を示すもので、（ａ）は上面図、（ｂ）下面図である。貼着型健康増進用具１は、剥離紙２を用いて保管等される。剥離紙２は、円形切除部２ａと、端部から円形切除部２ａに至る剥離用切り目２ｂを有している。剥離紙２の下面にシール材１２を接着し、上面から円形切除部２ａを介して炭素成型品１０をシール材１２に接着させてある。貼着型健康増進用具１を使用するときには、剥離紙２を剥離用切り目２ｂからめくり、炭素成型品１０とシール材１２の接着状態を損なうことなく、シール材１２から分離する。そして、人体当接部１０ｂを人体の所望する部位へ当接させて貼着する。
【００１８】
貼着型健康増進用具１の人体当接部１０ｂの先端は、それを貼着した部位を局所的に刺激する。また、炭素成型品１０は、ほぼ１００％が炭素材であり、外部の熱や光などの形で吸収したエネルギーを遠赤外線の形で多く放射し、遠赤外線は貼着型健康増進用具１を貼着した部位の皮下組織、血管などに作用する。このようにして血流を促進し、もって健康増進に寄与する。
【００１９】
貼着型健康増進用具１の炭素成型品１０は、極めて軽量であり、人体を形成する有機物の構成物質と同じであるため毒性がなく人体への安全性が高く、また、耐薬品性も高い。その上、一体の結晶構造であるために、物理的強度が高く、炭素材でありながら摩耗又は破損し難い。特に、人体当接部１０ｂの先端には大きな外力がかかるものの、摩耗又は破損を防止してその形状を維持することにおいて効果的である。更に、炭素成型品１０の表面に設けた皮膜層１１は、微細な摩耗や欠損を防止する。
【００２０】
図５は、貼着型健康増進用具１、つまり炭素成型品１０を接着したシール材１２を腰に貼着し、腰の皮膚温度の分布をサーモグラフィ装置で測定した実験結果を示している。サーモグラフィ装置は、ＮＥＣ  Ａｖｉｏ赤外線テクノロジー株式会社製ＴＨ７１０２ＭＸである。分解精度は０．２℃で測定した。また、使用した炭素成型品１０は、直径Ａが約１０ｍｍ、全体厚さＢが約３ｍｍ、基部１０ａの厚さＣが約１．５ｍｍである。この炭素成型品１０は、人体当接部１０ｂの先端の角度が緩やかであるので、痛感がないものである。同図（ａ）は、腰の右部ＷＲに貼着型健康増進用具１を貼着し、左部ＷＬに炭素成型品１０が接着されていないシール材１２のみを貼着し、約１９時間３０分後（翌日）に両方のシール材１２、１２を腰から剥がし、皮膚温度の分布を観測した結果である。図においては、明度が低い（黒っぽい）方が温度が高い。腰の右部ＷＲと左部ＷＬは背中の中心軸に対してほぼ対称な位置である。なお、図中のＷＳ、ＷＳは腰の左右の輪郭線である。右部ＷＲは左部ＷＬに比べてシール材１２を貼着した箇所とその上下の皮膚温度が上昇しているのが観測された。同図（ｂ）は、そのまま約３０分経過後に皮膚温度の分布を観測した結果である。多少異なるが、（ａ）と類似の分布が観測された。この実験結果により、貼着型健康増進用具１の貼着によって血流が変化しているのが確認された。
【００２１】
以上、本発明の実施形態に係る貼着型健康増進用具１について説明したが、本発明は、実施形態に記載したものに限られることなく、特許請求の範囲に記載した事項の範囲内でのさまざまな設計変更が可能である。例えば、炭素成型品１０の人体当接部１０ｂの先端が丸みを帯びるようにし、その形状を調整して貼着した部位への刺激を加減することができる。
【符号の説明】
【００２２】
１      貼着型健康増進用具
１０    炭素成型品
１０ａ  炭素成型品の基部
１０ｂ  炭素成型品の人体当接部
１１    皮膜層
１２    シール材
２      剥離紙
【図１】
0005553328.tif 000002
【図２】
0005553328.tif 000003
【図３】
0005553328.tif 000004
【図４】
0005553328.tif 000005
【図５】
0005553328.tif 000006